(57)【要約】【課題】 保持器が波形保持器とされるとともに、潤滑剤が潤滑油である場合に、その回転トルクの低減を可能とする玉軸受を提供する。【解決手段】  玉軸受1は、外輪2、内輪3、両輪間に配置された玉4、および玉を保持する保持器5を備えている。保持器5は、平坦部11aと凸部11bとが繰り返された環状体11が平坦部11a同士を重ね合わせて結合された波形保持器とされている。各環状体11のすべての平坦部11aに、凸部11b同士が突き合わされた部分との厚み差を小さくして潤滑油撹拌抵抗を低減する増厚部12が設けられている。【選択図】    図２
2006070910.tif 000002
【特許請求の範囲】
【請求項１】
外輪、内輪、両輪間に配置された玉、および玉を保持する保持器を備えており、保持器が、平坦部と凸部とが繰り返された環状体が平坦部同士を重ね合わせて結合された波形保持器とされ、潤滑剤が潤滑油とされる玉軸受において、各環状体のすべての平坦部に、凸部同士が突き合わされた部分との厚み差を小さくして潤滑油撹拌抵抗を低減する増厚部が設けられていることを特徴とする玉軸受。
【請求項２】
増厚部は、樹脂製で、プレス成形された金属板製の環状体に一体成形されており、増厚部にリベット挿通用の貫通孔が設けられ、環状体同士がリベットにより結合されている請求項１の玉軸受。
【請求項３】
増厚部の厚みをｈ、玉の直径をＢｄとして、以下の条件が満たされている請求項１または２の玉軸受。
０．２×Ｂｄ≦ｈ≦０．５×Ｂｄ
【発明の詳細な説明】
【技術分野】
【０００１】
この発明は、玉軸受に関し、さらに詳しくは、波形保持器を有しかつ潤滑剤が潤滑油である玉軸受に関する。
【背景技術】
【０００２】
玉軸受は、特許文献１に示されているように、玉を保持する保持器が波形保持器とされているものが多数用いられている。
【特許文献１】特開２００３−３４３５６７号公報
【発明の開示】
【発明が解決しようとする課題】
【０００３】
上記波形保持器を有する玉軸受は、潤滑剤がグリースではなく潤滑油とされることがあるが、この場合、空間容積が大きいために、潤滑油による撹拌抵抗が大きく、回転トルクが大きくなるという問題があった。
【０００４】
この発明の目的は、保持器が波形保持器とされるとともに、潤滑剤が潤滑油である場合に、その回転トルクの低減を可能とする玉軸受を提供することにある。
【課題を解決するための手段】
【０００５】
この発明による玉軸受は、外輪、内輪、両輪間に配置された玉、および玉を保持する保持器を備えており、保持器が、平坦部と凸部とが繰り返された環状体が平坦部同士を重ね合わせて結合された波形保持器とされ、潤滑剤が潤滑油とされる玉軸受において、各環状体のすべての平坦部に、凸部同士が突き合わされた部分との厚み差を小さくして潤滑油撹拌抵抗を低減する増厚部が設けられていることを特徴とするものである。
【０００６】
回転トルクを増加させる要因としては、玉の転がり抵抗、潤滑油による撹拌抵抗などがあるが、増厚部が設けられることにより、玉が潤滑油中を通過するときに押しのけられる潤滑油の量が減少し、潤滑油撹拌抵抗が小さくなる。
【０００７】
増厚部は、樹脂製で、プレス成形された金属板製の環状体に一体成形されており、増厚部にリベット挿通用の貫通孔が設けられ、環状体同士がリベットにより結合されていることが好ましい。増厚部を樹脂製とすることで、重量の増加が抑えられ、プレス成形された金属板製の環状体に樹脂製増厚部を一体成形することで、環状体への増厚部の接着を確実かつ容易に行うことができ、増厚部にリベット挿通用の貫通孔が設けられて環状体同士がリベットにより結合されていることで、環状体同士を強固に接合することができる。
【０００８】
増厚部の厚みをｈ、玉の直径をＢｄとして、以下の条件が満たされていることが好ましい。
【０００９】
０．２×Ｂｄ≦ｈ≦０．５×Ｂｄ
ｈ＝０．２×Ｂｄは、撹拌抵抗を小さくする効果を確保するための最小値であり、ｈ＝０．５×Ｂｄは、撹拌抵抗が最小となるときの値であり、ｈ＞０．５×Ｂｄは、ｈ＝０．５×Ｂｄに比べて、重量および撹拌抵抗がともに増加するので好ましくない。
【発明の効果】
【００１０】
この発明の玉軸受によると、各環状体のすべての平坦部に、凸部同士が突き合わされた部分との厚み差を小さくして潤滑油撹拌抵抗を低減する増厚部が設けられているので、潤滑油による撹拌抵抗が小さくなることで、回転トルクが低減される。
【発明を実施するための最良の形態】
【００１１】
この発明の実施の形態を、以下図面を参照して説明する。
【００１２】
図１は、この発明の玉軸受を示しており、玉軸受(1)は、深溝玉軸受で、外輪(2)、内輪(3)、両輪(2)(3)間に配置された玉(4)、および玉(4)を保持する保持器(5)を備えている。
【００１３】
保持器(5)は、図２に示すように、平坦部(11a)と凸部(11b)とが繰り返された環状体(11)が平坦部(11a)同士を重ね合わせて結合されることにより、対向する凸部(11b)同士によって玉(4)と相似形状でかつ玉(4)の曲率半径よりも若干大きな曲率半径を有する凹球面状ポケット(5a)が形成された波形保持器とされている。各環状体(11)は、ＳＰＢ鋼やＳＰＣ鋼などからなる金属プレス成形品製とされている。
【００１４】
各環状体(11)の平坦部(11a)には、凸部(11b)同士が突き合わされた部分との厚み差を小さくして潤滑油撹拌抵抗を低減する増厚部(12)が設けられている。増厚部(12)は、樹脂製で、環状体(11)に一体成形されている。
【００１５】
増厚部(12)には、リベット挿通用の貫通孔(12a)が設けられており、図３に示すように、貫通孔(12a)の径がリベット(13)の頭径よりも若干大きく形成され、貫通孔(12a)に挿通されたリベット(13)により環状体(11)同士が直接結合されている。
【００１６】
増厚部(12)の厚みは、適宜変更可能であるが、好ましくは、増厚部(12)の厚みをｈ、玉の直径をＢｄとして、以下の条件が満たされているものとされる。
【００１７】
０．２×Ｂｄ≦ｈ≦０．５×Ｂｄ
増厚部(12)の厚みの最大値（０．５×Ｂｄ）は、増厚部(12)付きの平坦部(11a)の軸方向の幅（２ｔ＋２ｈ，ｔは環状体の厚み）と凸部(11b)における軸方向の幅（２ｔ＋Ｂｄ）とが等しくなる場合に相当しており、このとき撹拌抵抗が最小となる。増厚部(12)の厚みは、保持器(5)の重量増加とのバランスを考慮して、この値以下に設定される。増厚部(12)の厚みは、０．２×Ｂｄ未満になると撹拌抵抗を小さくする効果が減少することから、これ以上とすることが好ましい。
【図面の簡単な説明】
【００１８】
【図１】図１は、この発明による玉軸受の１実施形態を示す縦断面図である。
【図２】図２は、この発明による玉軸受の保持器の全体を示す斜視図である。
【図３】図３は、保持器の一部を示す拡大横断面図である。
【符号の説明】
【００１９】
(1)         玉軸受
(2)         外輪
(3)         内輪
(4)         玉
(5)         保持器
(11)        環状体
(11a)       平坦部
(11b)       凸部
(12)        増厚部
(12a)       貫通孔
(13)        リベット
【図１】
2006070910.tif 000003
【図２】
2006070910.tif 000004
【図３】
2006070910.tif 000005